(57)【要約】【課題】アンテナの仰角が小さい状態で強風が吹いた場合でも、倒れ難く、かつ、アンテナの高さを微調整することができる携帯用アンテナ支持装置を提供することを目的とする。【解決手段】支持台部１３および脚部材１２と、アンテナ１６を固定するアンテナ固定部材１７を回動可能に支持する頂部１５ａとを有し、支持台部１３の貫通孔１３ａに摺動可能に挿入される摺動ロッド１５と、脚部材１２の支持台部１３に係合可能で、摺動ロッド１５にその軸線方向に摺動可能に支持される摺動部材１９と、摺動部材１９を摺動ロッド１５の複数の軸線位置に位置決めする軸線位置決め機構２０と、アンテナ固定部材を所定の回動位置に位置決めする回動位置決め機構２４と、を備え、軸線位置決め機構２０が、摺動ロッド１５に所定間隔離隔して形成された複数の係合穴２１と、係合穴に係合できるよう摺動部材１９に支持されたピン２２と、により構成される。【選択図】図１
2008236361.tif 000002
【特許請求の範囲】
【請求項１】
貫通孔が形成された支持台部および前記支持台部の高さを調節可能に前記支持台部に連結された複数の脚部よりなる脚部材と、
アンテナを固定するアンテナ固定部材を回動可能に支持する頂部を有し、前記支持台部の貫通孔に摺動可能に挿入される摺動ロッドと、
前記脚部材の支持台部に係合可能で、前記摺動ロッドにその軸線方向に摺動可能に支持される摺動部材と、
前記摺動部材を前記摺動ロッドの複数の軸線位置に位置決めする軸線位置決め機構と、
前記アンテナ固定部材を所定の回動位置に位置決めする回動位置決め機構と、を備え、
前記軸線位置決め機構が、前記摺動ロッドに所定間隔離隔して形成された複数の係合穴と、前記係合穴に係合できるよう前記摺動部材に支持されたピンと、により構成されたことを特徴とする携帯用アンテナ支持装置。
【請求項２】
前記回動位置決め機構が、前記摺動部材に連結されたブラケットと、前記ブラケットに上下に回動可能に連結された下端部、前記下端部にねじ結合され、前記アンテナ固定部材に摺動可能で、かつ、回動可能に連結された中間部、およびノブが固定された上端部を有する回動ロッドと、前記アンテナ固定部材を前記回動ロッドの軸線位置で保持する保持組立体と、により構成されたことを特徴とする請求項１に記載の携帯用アンテナ支持装置。
【発明の詳細な説明】
【技術分野】
【０００１】
本発明は、携帯用アンテナ支持装置、特にパラボラアンテナなどのアンテナを持ち運ぶことができる携帯用アンテナ支持装置に関する。
【背景技術】
【０００２】
従来、この種の携帯用アンテナ支持装置は、三脚の上部に水平方向に回動可能で、かつ、垂直方向にも回動可能に回動台が取り付けられ、回動台にアンテナが固定されたものが知られている（例えば、特許文献１参照）。この従来の携帯用アンテナ支持装置は、アンテナと一体的に設けられる受信または送信高周波部を収納する高周波部筐体が雲台を介して三脚に取り付けられ、雲台による水平方向の回転と雲台の垂直方向の回動とによりアンテナの方位角と仰角とを設定できるようにしている。
【特許文献１】特開２００４−２６０５５３号公報
【発明の開示】
【発明が解決しようとする課題】
【０００３】
しかしながら、この従来の携帯用アンテナ支持装置においては、アンテナの仰角が小さい状態で強風が吹いたときには、アンテナ支持装置が倒れ易いものであった。また、アンテナの高さも微調整することができなかった。
【０００４】
本発明は、このような問題を解決するためになされたもので、アンテナの仰角が小さい状態で強風が吹いた場合でも倒れ難く、かつ、アンテナの高さを微調整することができる携帯用アンテナ支持装置を提供することを目的とする。
【課題を解決するための手段】
【０００５】
本発明に係る携帯用アンテナ支持装置は、上記目的を達成するため、（１）貫通孔が形成された支持台部および前記支持台部の高さを調節可能に前記支持台部に連結された複数の脚部よりなる脚部材と、アンテナを固定するアンテナ固定部材を回動可能に支持する頂部を有し、前記支持台部の貫通孔に摺動可能に挿入される摺動ロッドと、前記脚部材の支持台部に係合可能で、前記摺動ロッドにその軸線方向に摺動可能に支持される摺動部材と、前記摺動部材を前記摺動ロッドの複数の軸線位置に位置決めする軸線位置決め機構と、前記アンテナ固定部材を所定の回動位置に位置決めする回動位置決め機構と、を備え、前記軸線位置決め機構が、前記摺動ロッドに所定間隔離隔して形成された複数の係合穴と、前記係合穴に係合できるよう前記摺動部材に支持されたピンと、を備えた構成を有している。
【０００６】
前記軸線位置決め機構が、前記摺動ロッドに所定間隔離隔して形成された複数の係合穴と、係合穴に係合できるよう前記摺動部材に支持されたピンと、により構成され、前記摺動部材を前記摺動ロッドに所定の軸線位置で位置決めできるので、強風が吹いている場合に、前記摺動部材を前記摺動ロッドの最も低い位置に簡単に移動でき、携帯用アンテナ支持装置の倒れを防止できる。
【０００７】
また、上記（１）の構成を有する携帯用アンテナ支持装置において、（２）前記回動位置決め機構が、前記摺動部材に連結されたブラケットと、前記ブラケットに上下に回動可能に連結された下端部、前記下端部にねじ結合され、前記アンテナ固定部材に摺動可能で、かつ、回動可能に連結された中間部、およびノブが固定された上端部を有する回動ロッドと、前記アンテナ固定部材を前記回動ロッドの軸線位置で保持する保持組立体と、により構成されている。
【０００８】
前記回動位置決め機構が、前記摺動部材に連結されたブラケットと、前記ブラケットに上下に回動可能に連結された下端部、前記下端部にねじ結合され、前記アンテナ固定部材に摺動可能で、かつ、回動可能に連結された中間部、およびノブが固定された上端部を有する回動ロッドと、前記アンテナ固定部材を前記回動ロッドの軸線位置で保持する保持組立体と、により構成されているので、アンテナの高さを微調整することができる。
【発明を実施するための最良の形態】
【０００９】
以下、本発明の好ましい実施の形態について図面を参照して説明する。
図１は、本発明の実施の形態に係る携帯用アンテナ支持装置の概略側面図である。図２は、本発明の実施の形態に係る携帯用アンテナ支持装置の一部側面図であり、脚部材およびアンテナを除去した状態を示す。図３は、図２のＡ―Ａ矢視側面図である。図４は、図１のＢ―Ｂ矢視拡大断面図である。
【００１０】
図１、２、３、４に示すように、本発明の実施の形態に係る携帯用アンテナ支持装置１１は、脚部材１２を有し、脚部材１２は、貫通孔１３ａが形成された支持台部１３および支持台部１３の高さを調節可能に支持台部１３に連結された複数の脚部１４よりなる。複数の脚部１４は、支持台部１３に回動可能に取り付けられた三脚よりなる。本発明においては、三脚以外に如何なる数の脚であってもよい。
【００１１】
摺動ロッド１５は、頂部１５ａ、第１ロッド部１５ｂおよび第２ロッド部１５ｃよりなる。頂部１５ａは、例えば、バラボラアンテナなどのアンテナ１６を固定するアンテナ固定部材１７をピン１８を介して回動可能に支持し、第１ロッド部１５ｂは、支持台部１３の貫通孔１３ａに摺動可能に挿入され、第２ロッド部１５ｃは、頂部１５ａと第１ロッド部１５ｂとの間の部分である。
【００１２】
摺動部材１９は、その中央部に形成された貫通孔１９ａを有し、貫通孔１９ａに摺動ロッド１５の第２ロッド部１５ｃが挿入されて、摺動ロッド１５の軸線方向に摺動可能に摺動ロッド１５に支持されている。第１ロッド部１５ｂが、支持台部１３の貫通孔１３ａに摺動可能に挿入され、摺動ロッド１５が地面に対して垂直になっているときには、摺動部材１９は、脚部材１２の支持台部１３に係合している。したがって、摺動部材１９は、支持台部１３に係合可能である。
【００１３】
図５（ａ）、（ｂ）は、軸線位置決め機構を示す図３のＣ―Ｃ矢視拡大断面図であり、図５（ａ）は、ピンが係合穴に係合した係合状態を示し、図５（ｂ）は、ピンが係合穴に係合した係合状態から解除された係合解除状態を示す。
図示のように、軸線位置決め機構２０は、第２ロッド部１５ｃに所定間隔離隔して形成された複数の係合穴２１と、係合穴２１に係合できるよう摺動部材１９に支持されたピン２２よりなり、摺動ロッド１５の軸線方向に摺動させ所定の軸線位置で止めた状態でピン２２を係合穴２１に係合することによって位置決めするようになっている。複数の軸線位置は、第２ロッド部１５ｃに所定間隔離隔して形成された複数の係合穴２１によって決定される。
【００１４】
ピン２２は、圧縮ばね２３でピン２２が常に係合穴２１に係合するよう付勢されている。圧縮ばね２３は、ピン２２と一体的に形成されたフランジ部２２ａと摺動部材１９の外周部との間に設けられている。ピン２２は、摺動部材１９の外周部に形成された貫通孔１９ａに挿入され、圧縮ばね２３の付勢力により係合穴２１に係合することができる係合位置（図５（ａ）に示す状態）と、圧縮ばね２３の付勢力に対抗して係合状態から解除された係合解除位置（図５（ｂ）に示す状態）と、の間で移動できるようになっている。
【００１５】
このように、ピン２２は、通常、圧縮ばね２３の付勢力により係合位置にあるが、ピン２２を引っ張った場合には、圧縮ばね２３の付勢力に対抗して係合解除位置に移動することができる。このため、軸線位置決め機構２０は、摺動部材１９を第２ロッド部１５ｃの複数の軸線位置で位置決めすることができる。
【００１６】
図６（ａ）、（ｂ）、（ｃ）は、回動位置決め機構を示し、図６（ａ）、（ｂ）は、図３のＤ―Ｄ矢視拡大断面図であり、図６（ａ）は、回動ロッドをブラケット、スリーブを介してアンテナ固定部材に止着する止着状態を示し、図６（ｂ）は、止着状態から解除する止着解除状態を示し、図６（ｃ）は、図２のＥ―Ｅ矢視拡大断面図である。
図２および図６（ａ）、（ｂ）、（ｃ）に示すように、回動位置決め機構２４は、ブラケット２５、回動ロッド２６と、保持組立体２７、よりなる。ブラケット２５は、蝶ボルト２８により摺動部材１９に連結される。回動ロッド２６は、ピン２９によりブラケット２５に回動可能に連結され、雄ねじを有する下端部２６ａ、下端部２６ａの雄ねじにねじ結合される雌ねじを有する中間部２６ｂ、およびノブ３０が固定された上端部２６ｃを有する。回動ロッド２６の下端部２６ａがピン２９によりブラケット２５に回動可能に連結されているので、回動ロッド２６をピン２９の回りに上下に回動すると、回動ロッド２６は、ブラケット２５に対してその軸線方向に相対的に回動することができる。
【００１７】
保持組立体２７は、回動ロッド保持部材３１と、止着部材３２と、よりなる。回動ロッド保持部材３１は、回動ロッド２６の中間部２６ｂを摺動可能に保持するスリーブ３３と、スリーブ３３に固定され、ピン３４によりアンテナ固定部材１７に回動可能に連結される回転部材３５と、よりなる。したがって、スリーブ３３は、回動ロッド２６の摺動を許容し、回転部材３５は、アンテナ固定部材１７の回動を許容することができる。
【００１８】
止着部材３２は、ブラケット３８と、スライド３９と、ねじ４０と、を有する。ブラケット３８は、回転部材３５とスリーブ３３に固定され、回動ロッド２６が挿入される貫通孔３８ａを有し、ねじ４０にねじ結合したスライド３９を収納している。ねじ４０は、ブラケット３８の外側に位置するつまみ部４０ａを有し、スライド３９が、つまみ部４０ａを一方の方向に回転させることにより、ブラケット３８内で回動ロッド２６に係合して回動ロッド２６をブラケット３８、スリーブ３３を介してアンテナ固定部材１７に止着する止着位置と、つまみ部４０ａを他方の方向に回転させることにより、止着位置から止着を解除する止着解除位置に移動できるようになっている。
【００１９】
前述したように、保持組立体２７は、回動ロッド保持部材３１により回動ロッド２６を摺動可能に保持するとともに回転部材３５によりアンテナ固定部材１７を回動ロッド２６に回動可能に連結され、止着部材３２により回動ロッド２６をアンテナ固定部材１７に止着するとともに止着を解除することができるようになっている。
【００２０】
図２に示すように、目盛り板４２は、アンテナ固定部材１７に固定され、ピン１８に固定された針４３の先端で目盛り板４２の目盛りを読むことにより、アンテナ固定部材１７の固定されたアンテナ１６の回転角、すなわち仰角を測定することができるようにしている。
【００２１】
以下、本発明の実施の形態に係る携帯用アンテナ支持装置の作用について説明する。
まず、本実施の形態に係る携帯用アンテナ支持装置１１の組み立ては、次のようにして行なう。
【００２２】
（１）摺動ロッド１５の頂部１５ａにアンテナ固定部材１７をピン１８を介して回動可能に連結させる。このとき、目盛り板４２に針４３の先端を合わせ、アンテナ固定部材１７の固定されたアンテナ１６の回転角、すなわち仰角を測定することができるようにする。
【００２３】
（２）摺動部材１９の貫通孔１９ａに摺動ロッド１５の第２ロッド部１５ｃを挿入し、摺動部材１９が摺動ロッド１５の軸線方向に摺動可能になるよう摺動ロッド１５に支持させる。ブラケット２５を蝶ボルト２８により摺動部材１９に連結させる。回動ロッド２６の下端部２６ａをブラケット２５にピン２９により上下に回転可能に連結する。
【００２４】
（３）回動ロッド２６の中間部２６ｂを保持組立体２７のスリーブ３３と止着部材３２のブラケット３８に挿入し、回動ロッド２６の下端部２６ａにねじ結合する。ノブ３０が固定された回動ロッド２６の上端部２５ｃにノブ３０が固定される。
【００２５】
次に、本実施の形態に係る携帯用アンテナ支持装置１１のアンテナ１６の仰角を図７（ａ）に示す状態から図７（ｃ）に示す状態に変更する場合について説明する。
【００２６】
（１）まず、三脚よりなる脚部１４を開き、地面に固定する。次に、支持台部１３の貫通孔１３ａに摺動ロッド１５の第１ロッド部１５ｂを挿入し、摺動ロッド１５の軸線が地面に対して垂直になるようして携帯用アンテナ支持装置１１を組み立てる。このときには、摺動部材１９は、支持台部１３に係合している。
【００２７】
（２）止着部材３２のつまみ部４０ａを他方の方向に回転させ、スライド３９を回動ロッド２６の中間部２６ｂに止着された止着状態から開放し、回動ロッド２６が自由に動けるようにする。すなわち、回動ロッド２６は、スリーブ３３内でその軸線方向に移動できるとともに回転部材３５がスリーブ３３と一緒に回転しアンテナ固定部材１７に対して相対回転し、回動ロッド２６の軸線方向の移動と上下の回動が許容される。
【００２８】
（３）摺動部材１９を図７（ａ）に示す状態から図７（ｃ）に示す状態、ピン２２が最も低い位置にある係合穴２１から最も高い位置ある係合穴２１に係合できるよう摺動ロッド１５に沿って移動させる。この際、ピン２２を圧縮ばね２３の付勢力に対抗してピン２２を引っ張ることにより、ピン２２を最も高い位置にある係合穴２１に係合した係合位置から係合解除位置まで移動させ、ピン２２が最も高い位置ある係合穴２１に係合できるよう摺動部材１９を摺動ロッド１５に沿って上方に移動させ、ピン２２を引っ張るのを停止する。このとき、ピン２２は圧縮ばね２３の付勢力により係合解除位置から係合位置まで移動してピン２２を最も高い位置にある係合穴２１に係合させる。
【００２９】
（４）摺動部材１９が摺動ロッド１５に沿って移動させる際には、回動ロッド２６がその軸線方向に移動するとともに、ブラケット３８が、回転部材３５とスリーブ３３に固定されているので、ブラケット３８、回転部材３５およびスリーブ３３がアンテナ固定部材１７に対して相対的に回動し、回動ロッド２６が、ピン２９により上下にも回動する。
【００３０】
（５）この状態で、アンテナ１６の仰角を微調整したい場合には、ノブ３０を回転し、回動ロッド２６をブラケット２５に対して相対回転し、回動ロッド２６をブラケット２５、ブラケット３８、スリーブ３３に対して軸線方向に相対的に移動させる。
【００３１】
（６）次に、止着部材３２のつまみ部４０ａを前述の方向とは逆方向、すなわち、一方の方向に回転させると、スライド３９が回動ロッド２６の中間部２６ｂの方向に移動され、スライド３９が回動ロッド２６の中間部２６ｂを押圧して回動ロッド２６を止着された止着状態、すなわち、回動ロッド２６がブラケット３８に対して止着され、仰角の微調整を完了する。このとき、ピン２２が最も高い位置ある係合穴２１に係合しているので、摺動部材１９がピン１８に最も接近しており、摺動ロッド１５が、支持台部１３から下方に突出している。このため、アンテナ１６の仰角が最も小さく、アンテナ１６が最も垂直に近いので、アンテナ１６の中心位置が地面から最も低い。この結果、アンテナ１６に強風が吹いても携帯用アンテナ支持装置が安定感があり、倒れ難い。
【００３２】
（７）目盛り板４２は、アンテナ１６の仰角微調整した後、仰角を測定する。
【００３３】
なお、アンテナ固定部材１７に支持されたアンテナ１６の仰角は、図７（ａ）に示す状態から図７（ｃ）に示す状態、すなわち、最も大きい仰角から最も小さい仰角に変更される。同様に、図７（ｃ）に示す状態から図７（ａ）、（ｂ）に示す状態に仰角を変更する場合も同様な作業をすれば、仰角の変更が容易に行うことができる。
【００３４】
以上説明したように、本発明によれば、強風が吹いている場合に、摺動部材を前記摺動ロッドの最も低い位置に簡単に移動でき、携帯用アンテナ支持装置の倒れを防止できるとともにアンテナの高さも微調整することができ、携帯用アンテナ支持装置に有用である。
【図面の簡単な説明】
【００３５】
【図１】図１は、本発明の実施の形態に係る携帯用アンテナ支持装置の概略側面図である。
【図２】図２は、本発明の実施の形態に係る携帯用アンテナ支持装置の一部側面図であり、脚部材およびアンテナを除去した状態を示す。
【図３】図３は、図２のＡ―Ａ矢視側面図である。
【図４】図４は、図１のＢ―Ｂ矢視断面図である。
【図５】図５（ａ）、（ｂ）は、軸線位置決め機構を示す図３のＣ―Ｃ矢視拡大断面図であり、図５（ａ）ピンが係合穴に係合した係合状態を示し、図５（ｂ）は、ピンが係合穴に係合した係合状態から解除された係合解除状態を示す。
【図６】図６（ａ）、（ｂ）、（ｃ）は、回動位置決め機構を示し、図６（ａ）、（ｂ）は、図３のＤ―Ｄ矢視拡大断面図であり、図６（ａ）は、回動ロッドをブラケット、スリーブを介してアンテナ固定部材に止着する止着状態を示し、図６（ｂ）は、止着状態から解除する止着解除状態を示し、図６（ｃ）は、図２のＥ―Ｅ矢視拡大断面図である。
【図７】図７（ａ）、（ｂ）、（ｃ）は、本発明の実施の形態に係る携帯用アンテナ支持装置の概略側面図であり、図７（ａ）は、アンテナが最も高い位置にある状態を示し、図７（ｂ）は、アンテナが図７（ａ）に示すアンテナの位置より低い位置にある状態を示し、図７（ｃ）は、アンテナが最も低い位置にある状態を示す。
【符号の説明】
【００３６】
１１  携帯用アンテナ支持装置
１２  脚部材
１３  支持台部
１３ａ  貫通孔
１４  脚部
１５  摺動ロッド
１５ａ  頂部
１５ｂ  第１ロッド部
１５ｃ  第２ロッド部
１６  アンテナ
１７  アンテナ固定部材
１８  ピン
１９  摺動部材
１９ａ  貫通孔
２０  軸線位置決め機構
２１  係合穴
２２  ピン
２２ａ  フランジ部
２４  回動位置決め機構
２５  ブラケット
２６  回動ロッド
２６ａ  下端部
２６ｂ  中間部
２６ｃ  上端部
２７  保持組立体
２８  蝶ボルト
２９  ピン
３０  ノブ
３１  回動ロッド保持部材
３２  止着部材
３３  スリーブ
３４  ピン
３５  回転部材
３８  ブラケット
３８ａ  貫通孔
３９  スライド
４０ａ  つまみ部
４２  目盛り板
４３  針
【図１】
2008236361.tif 000003
【図２】
2008236361.tif 000004
【図３】
2008236361.tif 000005
【図４】
2008236361.tif 000006
【図５】
2008236361.tif 000007
【図６】
2008236361.tif 000008
【図７】
2008236361.tif 000009